【手続補正書】
【提出日】平成29年12月14日(2017.12.14)
【手続補正１】
【補正対象書類名】明細書
【補正対象項目名】００１６
【補正方法】変更
【補正の内容】
【００１６】
そこで、本発明は、撮像を行い得られた画像を順次表示している際に拡大画像が表示されている状態で露出を変更する場合でも、適正な露出を設定することを目的とする。
【手続補正２】
【補正対象書類名】明細書
【補正対象項目名】００１７
【補正方法】変更
【補正の内容】
【００１７】
上記目的を達成するために、本発明の撮像装置は、撮像素子と、前記撮像素子を用いて撮像を行い得られた画像に基づいて測光を行う測光手段と、前記測光手段の測光結果に基づいて露出制御を行う露出制御手段と、前記撮像素子を用いて撮像を行うことで得られた画像の表示部への表示を制御する表示制御手段と、を備え、前記表示制御手段は、前記撮像素子を用いて撮像を行うことで得られた画像を前記表示部に順次表示している際に、ユーザにより拡大指示がされた場合、前記撮像素子が撮像する範囲の一部領域に対応する拡大画像を前記表示部に表示させ、前記露出制御手段は、前記表示部に前記拡大画像が表示されている際に露出を変更する場合に、前記表示部に前記拡大画像が表示される前に前記撮像素子を用いて撮像を行うことで得られた画像の測光結果に基づいて、露出を変更することを特徴とする。
【手続補正３】
【補正対象書類名】明細書
【補正対象項目名】００１８
【補正方法】変更
【補正の内容】
【００１８】
また、本発明の撮像装置は、撮像素子と、前記撮像素子を用いて撮像を行うことで得られた画像に基づいて測光を行う測光手段と、前記測光手段の測光結果に基づいて露出制御を行う露出制御手段と、前記撮像素子を用いて撮像を行うことで得られた画像の表示部への表示を制御する表示制御手段と、を備え、前記表示制御手段は、前記撮像素子を用いて撮像を行うことで得られた画像を前記表示部に順次表示している際に、ユーザにより拡大指示がされた場合、前記撮像素子が撮像する範囲の一部領域に対応する拡大画像を前記表示部に表示させ、前記露出制御手段は、前記表示部に前記拡大画像が表示されている際に静止画の取得が指示された場合、前記表示部に前記拡大画像が表示される前に前記撮像素子を用いて撮像を行うことで得られた画像の測光結果に基づいて静止画を取得する際の露出を決定することを特徴とする。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】変更
【補正の内容】
【００２０】
本発明によれば、撮像を行い得られた画像を順次表示している際に拡大画像が表示されている状態で露出を変更する場合でも、適正な露出を設定することができる。
【手続補正６】
【補正対象書類名】特許請求の範囲
【補正対象項目名】全文
【補正方法】変更
【補正の内容】
【特許請求の範囲】
【請求項１】
撮像素子と、
前記撮像素子を用いて撮像を行い得られた画像に基づいて測光を行う測光手段と、
前記測光手段の測光結果に基づいて露出制御を行う露出制御手段と、
前記撮像素子を用いて撮像を行うことで得られた画像の表示部への表示を制御する表示制御手段と、を備え、
前記表示制御手段は、前記撮像素子を用いて撮像を行うことで得られた画像を前記表示部に順次表示している際に、ユーザにより拡大指示がされた場合、前記撮像素子が撮像する範囲の一部領域に対応する拡大画像を前記表示部に表示させ、
前記露出制御手段は、前記表示部に前記拡大画像が表示されている際に露出を変更する場合に、前記表示部に前記拡大画像が表示される前に前記撮像素子を用いて撮像を行うことで得られた画像の測光結果に基づいて、露出を変更することを特徴とする撮像装置。
【請求項２】
前記露出制御手段は、第１の露出に基づいて前記撮像素子を用いて撮像を行うことで得られた画像を前記表示部に順次表示している際にユーザによる前記拡大指示がされた場合、前記表示部に前記拡大画像が表示される前に前記第１の露出とは異なる第２の露出に露出を変更し、前記表示部に前記拡大画像が表示されているときに露出を変更する場合、前記第２の露出に基づいて前記撮像素子を用いて撮像を行うことで得られた画像の測光結果に基づいて露出を変更することを特徴とする請求項１に記載の撮像装置。
【請求項３】
前記表示制御手段は、前記第２の露出に基づいて前記撮像素子を用いて撮像を行うことで得られた画像を前記表示部に表示させないように制御することを特徴とする請求項２に記載の撮像装置。
【請求項４】
前記第１の露出は、ユーザが選択した露出制御値に基づいて設定されることを特徴とする請求項２又は３に記載の撮像装置。
【請求項５】
前記第２の露出は、前記第１の露出よりも適正露出に近い露出であることを特徴とする請求項４に記載の撮像装置。
【請求項６】
前記表示制御手段は、前記表示部に前記拡大画像が表示される際に、前記撮像素子が撮像する範囲のうち前記拡大画像に対応する一部領域の画像のみを前記撮像素子から読み出して前記表示部に表示するように制御することを特徴とする請求項１乃至５の何れか一項に記載の撮像装置。
【請求項７】
前記露出制御手段は、第１の露出に基づいて前記撮像素子を用いて撮像を行うことで得られた画像が前記表示部に順次表示している際にユーザによる前記拡大指示がされた場合、前記表示部に前記拡大画像が表示される前に前記第１の露出とは異なる複数の露出に露出を順に変更し、前記表示部に前記拡大画像が表示されているときに露出を変更する場合、前記複数の露出のうちのいずれか１つの露出に基づいて前記撮像素子を用いて撮像を行うことで得られた画像の測光結果に基づいて露出を変更することを特徴とする請求項１に記載の撮像装置。
【請求項８】
前記撮像素子は、前記表示部に前記拡大画像が表示される前に前記複数の露出に露出を順に変更する際の当該複数の露出による撮像周期が、前記表示部の画像更新周期よりも短くなるように、撮像を行うことを特徴とする請求項７に記載の撮像装置。
【請求項９】
前記拡大画像は、前記撮像素子の一部領域のみから読み出された画像データであることを特徴とする請求項１乃至８の何れか一項に記載の撮像装置。
【請求項１０】
前記拡大画像は、前記撮像素子から読み出された画像データから一部の領域を切り出した画像データではないことを特徴とする請求項１乃至８の何れか一項に記載の撮像装置。
【請求項１１】
撮像素子と、
前記撮像素子を用いて撮像を行うことで得られた画像に基づいて測光を行う測光手段と、
前記測光手段の測光結果に基づいて露出制御を行う露出制御手段と、
前記撮像素子を用いて撮像を行うことで得られた画像の表示部への表示を制御する表示制御手段と、を備え、
前記表示制御手段は、前記撮像素子を用いて撮像を行うことで得られた画像を前記表示部に順次表示している際に、ユーザにより拡大指示がされた場合、前記撮像素子が撮像する範囲の一部領域に対応する拡大画像を前記表示部に表示させ、
前記露出制御手段は、前記表示部に前記拡大画像が表示されている際に静止画の取得が指示された場合、前記表示部に前記拡大画像が表示される前に前記撮像素子を用いて撮像を行うことで得られた画像の測光結果に基づいて静止画を取得する際の露出を決定することを特徴とする撮像装置。
【請求項１２】
撮像素子を備えた撮像装置の制御方法であって、
前記撮像素子を用いて撮像を行い得られた画像に基づいて測光を行う測光工程と、
前記測光工程における測光結果に基づいて露出制御を行う露出制御工程と、
前記撮像素子を用いて撮像を行うことで得られた画像の表示部への表示を制御する表示制御工程と、を備え、
前記表示制御工程では、前記撮像素子を用いて撮像を行うことで得られた画像を前記表示部に順次表示している際に、ユーザにより拡大指示がされた場合、前記撮像素子が撮像する範囲の一部領域に対応する拡大画像を前記表示部に表示させ、
前記露出制御工程では、前記表示部に前記拡大画像が表示されている際に露出を変更する場合に、前記表示部に前記拡大画像が表示される前に前記撮像素子を用いて撮像を行うことで得られた画像の測光結果に基づいて、露出を変更することを特徴とする撮像装置の制御方法。
【請求項１３】
撮像素子を備えた撮像装置の制御方法であって、
前記撮像素子を用いて撮像を行うことで得られた画像に基づいて測光を行う測光工程と、
前記測光工程における測光結果に基づいて露出制御を行う露出制御工程と、
前記撮像素子を用いて撮像を行うことで得られた画像の表示部への表示を制御する表示制御工程と、を備え、
前記表示制御工程では、前記撮像素子を用いて撮像を行うことで得られた画像を前記表示部に順次表示している際に、ユーザにより拡大指示がされた場合、前記撮像素子が撮像する範囲の一部領域に対応する拡大画像を前記表示部に表示させ、
前記露出制御工程では、前記表示部に前記拡大画像が表示されている際に静止画の取得が指示された場合、前記表示部に前記拡大画像が表示される前に前記撮像素子を用いて撮像を行うことで得られた画像の測光結果に基づいて静止画を取得する際の露出を決定することを特徴とする撮像装置の制御方法。
【請求項１４】
請求項１２又は１３に記載の撮像装置の制御方法をコンピュータで実行させるためのコンピュータで読み取り可能なプログラム。